(57)【要約】【課題】電波塔の東京スカイツリーを訪れる観光客に販売する土産品の商品価値を高めることができる包装箱を提供する。【解決手段】板紙からなる展開シート２が、上方に向かって先細となる筒状の箱本体３を形成する側板部４と、箱本体３の底部を形成する底板部５とを有し、側板部４に、箱本体３をほぼ正三角形断面の筒状体に成形するための第１群の折り筋Ｌ１〜Ｌ３と、箱本体３の上部側を円に近い多角形断面の筒状体に成形するための第２群の折り筋Ｍ１〜Ｍ９とが形成されている。【選択図】図１
0003178343.tif 000002
【実用新案登録請求の範囲】
【請求項１】
板紙からなる展開シートを折り起こして組み立てる紙製の包装箱であって、前記展開シートが、上方に向かって先細となる筒状の箱本体を形成する側板部と、前記箱本体の底部を形成する底板部とを有し、前記側板部に、前記箱本体をほぼ正三角形断面の筒状体に成形するための第１群の折り筋と、前記箱本体の上部側を円に近い多角形断面の筒状体に成形するための第２群の折り筋とが形成されていることを特徴とする包装箱。
【請求項２】
前記側板部の一方の側端に、他方の側端を接合させるための接合代が形成されると共に、他方の側端に突設された差し込みタブを前記接合代の表面側から差し込んで係止させるスリットが形成されている請求項１記載の包装箱。
【請求項３】
前記側板部の下端の中央に、該下端を底辺とする正三角形に成形されて、該三角形の他の二辺に夫々差し込みタブが突設された前記底板部が形成されると共に、該底板部を挟んで前記側板部の下端の左右両側に、前記底板部によって内側に折り倒される内折りフラップと、前記底板部に突設された前記差し込みタブを差し込んで係止させるスリットとが形成されている請求項１又は２記載の包装箱。
【請求項４】
前記第１群の折り筋によって前記箱本体をほぼ正三角形断面の筒状体に成形したときに該筒状体の外周３面を形成することとなる前記側板部の表面部位に、前記外周３面の各面ごとに電波塔の東京スカイツリーを表す画像がプリントされている請求項１、２又は３記載の包装箱。
【考案の詳細な説明】
【技術分野】
【０００１】
本考案は、東京都墨田区に建てられた電波塔の東京スカイツリーを訪れる観光客に販売する菓子などの土産品の包装用容器として好適な包装箱に関する。
【背景技術】
【０００２】
本出願人は、東京都墨田区押上にある東京スカイツリータウンの商業施設で販売される土産品として、長尺形状に焼き上げられたロールケーキ等の菓子が電波塔の東京スカイツリーをイメージさせる細長くて自立可能な紙製の包装箱で包装された商品の企画製作に参画し、その包装箱の設計を担当した。
【０００３】
長尺形状の商品を包装する紙製の包装箱としては、例えば、長尺の管状紫外線ランプ１体を包装する包装箱（特許文献１参照）の如く、箱本体が細長い直方体形状に組み立てられるものが一般的であるが、直方体形状の包装箱は、東京スカイツリーのタワー形状をイメージさせることができない。
また、菓子などの商品を包装する自立式の包装箱としては、六角柱状の紙箱からなるもの（特許文献２参照）、角丸柱状の紙箱からなるもの（特許文献３参照）、板紙によって五角以上の角筒形の箱に組み立てられるもの（特許文献４参照）や、一枚の紙製基材から組み立てられる六角筒状又は八角筒状の胴部と、該胴部の前後の開口を塞ぐ蓋板を備えた紙製包装容器（特許文献５参照）等が提案されているが、これらも東京スカイツリーのタワー形状をイメージさせることはできない。
【０００４】
つまり、東京スカイツリーのタワー形状は、地上０ｍの最下部が一辺７０ｍの正三角形を成し、地上約３５０ｍの第一展望台より下方の地上３２０ｍ付近で円筒形になる点に特徴があるが、特許文献１−５に記載されたような形状・構造の包装箱は、東京スカイツリーの特徴的なタワー形状を表現することができないため、東京スカイツリーに因んで販売される土産品の商品価値を高めることができない。
【先行技術文献】
【特許文献】
【０００５】
【特許文献１】意匠登録第１３６８１６５号公報
【特許文献２】実開平６−７２８３０号公報
【特許文献３】実開平６−７２８２１号公報
【特許文献４】特開平９−３２８１６８号公報
【特許文献５】実用新案登録第３１０９５２４号公報
【考案の概要】
【考案が解決しようとする課題】
【０００６】
本考案は、電波塔の東京スカイツリーに因んだ商品の包装用容器として好適な包装箱を提供することを技術的課題としている。
【課題を解決するための手段】
【０００７】
この課題を解決するために、本考案は、板紙からなる展開シートを折り起こして組み立てる紙製の包装箱であって、前記展開シートが、上方に向かって先細となる筒状の箱本体を形成する側板部と、前記箱本体の底部を形成する底板部とを有し、前記側板部に、前記箱本体をほぼ正三角形断面の筒状体に成形するための第１群の折り筋と、前記箱本体の上部側を円に近い多角形断面の筒状体に成形するための第２群の折り筋とが形成されていることを特徴とする。
【考案の効果】
【０００８】
本考案によれば、展開シートを第１群の折り筋に沿って折り起こすことにより、包装箱の箱本体を上方に向かって先細となるほぼ正三角形断面の筒状体に成形することができると共に、展開シートを第２群の折り筋に沿って折り起こすことにより、箱本体の上部側を円に近い多角形断面の筒状体に成形することができ、これによって、最下部が正三角形を成し、地上３２０ｍ付近の中間部から上部側が円筒形になった東京スカイツリーの特徴的なタワー形状をモチーフとした箱形状を有する紙製の包装箱を提供することができる。
【図面の簡単な説明】
【０００９】
【図１】本考案の実施例に係る包装箱の展開状態を示す図。
【図２】本考案の実施例に係る包装箱の組立過程を示す斜視図。
【図３】本考案の実施例に係る包装箱の組立過程を示す斜視図。
【図４】本考案の実施例に係る包装箱の組立状態を示す斜視図。
【考案を実施するための形態】
【００１０】
本考案の実施形態に係る包装箱は、板紙からなる展開シートを折り起こして組み立てる紙製の包装箱であって、前記展開シートが、上方に向かって先細となる筒状の箱本体を形成する側板部と、前記箱本体の底部を形成する底板部とを有しており、前記側板部には、前記箱本体をほぼ正三角形断面の筒状体に成形するための第１群の折り筋と、前記箱本体の上部側を円に近い多角形断面の筒状体に成形するための第２群の折り筋とが形成されている。
【００１１】
また、前記側板部は、その一方の側端に、他方の側端を接合させるための接合代が形成されると共に、他方の側端に突設された差し込みタブを前記接合代の表面側から差し込んで係止させるスリットが形成されている。
【００１２】
前記側板部の下端の中央には、該下端を底辺とする正三角形に成形されて、該三角形の他の二辺に夫々差し込みタブが突設された前記底板部が形成されている。また、該底板部を挟んで前記側板部の下端の左右両側には、前記底板部によって内側に折り倒される内折りフラップと、前記底板部に突設された前記差し込みタブを差し込んで係止させるスリットとが形成されている。
【００１３】
そして、前記第１群の折り筋によって前記箱本体をほぼ正三角形断面の筒状体に成形したときに該筒状体の外周３面を形成することとなる前記側板部の表面部位には、前記外周３面の各面ごとに電波塔の東京スカイツリーを表す画像がプリントされている。
【００１４】
これにより、本考案の実施形態に係る包装箱は、最下部が三角形で、上部側が円筒形となる電波塔・東京スカイツリーの特徴的なタワー形状をモチーフとした箱形状に組み立てられることに加え、その箱本体の外周面に電波塔の東京スカイツリーを表す画像が３つ並んでプリントされているから、東京スカイツリーに因んだ土産品の商品価値を著しく高めることができる。
【００１５】
また、当該包装箱は、これをランダムに立てて陳列しても、その箱本体の外周面にプリントされた東京スカイツリーの画像の何れかが顧客の視界に捉えられるから、東京スカイツリーに因んだ土産品を探し求める顧客の注意や関心を確実に引くことができる。
【実施例】
【００１６】
本考案の実施例に係る包装箱１は、長尺形状に焼き上げられたロールケーキの包装や、長尺の透明袋に袋詰めされたキャンデー、チョコレート、マシュマロなどの菓子類の包装に使用するもので、該包装箱１を組み立てるための板紙製の展開シート２が、上方に向かって先細となる筒状の箱本体３を形成する側板部４と、箱本体３の底部を形成する底板部５とを有している。
【００１７】
側板部４には、箱本体３をほぼ正三角形断面の筒状体に成形するための第１群の折り筋Ｌ１〜Ｌ３が、側板部４の上端８から下端９に向かって放射状の等角度間隔で計３本形成されると共に、箱本体３の上部側を円に近い例えば１２角形断面の筒状体に成形するための第２群の折り筋Ｍ１〜Ｍ９が、これら各折り筋と隣接する第２群の折り筋あるいは第１群の折り筋との間に放射状の等角度間隔を保つようにして計９本形成されている。
【００１８】
なお、第１群の折り筋Ｌ１〜Ｌ３は、側板部４の上端８から下端９まで達するように形成されており、第２群の折り筋Ｍ１〜Ｍ９は、側板部４の上端８から中間部乃至下端部近傍まで延びるように形成されている。
【００１９】
また、側板部４には、その一方の側端に、他方の側端を接合させるための接合代１０が形成されると共に、他方の側端に沿って一定の間隔で突設された差し込みタブ１１、１１…を接合代１０の表面側から差し込んで係止させるスリット１２、１２…が形成されている。
【００２０】
側板部４の下端９の中央には、その下端９を底辺とする正三角形に成形されて該三角形の他の二辺に夫々差し込みタブ１３、１３が突設されている底板部５が形成され、また、側板部４の下端９には、底板部５を挟んでその左右両側に、底板部５によって内側に折り倒される一対の内折りフラップ１４、１４と、底板部５に突設された差し込みタブ１３、１３を差し込んで係止させる一対のスリット１５、１５とが形成されている。
【００２１】
そして、展開シート２を第１群の折り筋Ｌ１〜Ｌ３に沿って折り起こすことにより箱本体３がほぼ正三角形断面の筒状体に成形されたときに、該筒状体の外周３面を形成することとなる側板部４の表面部位に、その外周３面の各面４ａ、４ｂ、４ｃごとに電波塔の東京スカイツリーを表す画像Ｓがプリントされている。
【００２２】
また、展開シート２を第１群の折り筋Ｌ１〜Ｌ３に沿って折り起こし、更に、第２群の折り筋Ｍ１〜Ｍ９に沿って折り起こすことにより、上部側が１２角形断面の筒状体に成形された箱本体３の上端開口部には、該開口部を正１２角形の蓋板２２で塞ぐ天板部２１が冠着される。
【００２３】
なお、側板部４の上端８には、箱本体３の１２角形をなす上端開口部に沿ってその１２角形の一辺おきに形成されることとなる計６片の内折りフラップ１６、１６…が突設されている。一方、天板部２１には、正１２角形の蓋板２２の縁に沿ってその１２角形の一辺おきに形成された計６片の差し込みタブ２３、２３…が突設されており、これら各タブ２３、２３…を前記各内折りフラップ１６、１６…間の間隙に差し込むことによって、天板部２１が箱本体３の上端開口部に冠着されるようになっている。
【００２４】
また、実施例の包装箱１は、その組立状態において、電波塔・東京スカイツリーの１／１０００縮尺サイズとなるように、側板部４の上端８から下端９までの長さ（箱本体３の高さ）が６３４mm、底板部５の一辺の長さが７０mmに設計されている。
【００２５】
以上が、本考案の実施例に係る包装箱１の構成であり、次に包装箱１の組立手順について説明する。
【００２６】
まず、展開シート２を第１群の折り筋Ｌ１〜Ｌ３と第２群の折り筋Ｍ１〜Ｍ９に沿って折り起こしてから、展開シート２の側板部４の片方の側端に沿って突設された差し込みタブ１１、１１…を、他方の側端に形成された接合代１０の表面側からその側端に形成されたスリット１２、１２…に差し込んで、最下部が正三角形を成し、上部側が円筒形を成した先細筒状の箱本体３を組み立てる。
【００２７】
そして、箱本体３の底部側からその内部に例えば長尺形状のロールケーキを装填した後、展開シート２の底板部５を折り起こして、該底板部５で側板部４の下端９に突設された内折りフラップ１４、１４を内側に折り倒すと共に、底板部５に突設された差し込みタブ１３、１３を側板部４の下端９に形成されたスリット１５、１５に差し込んで、箱本体３の底部を底板部５によって閉塞する。
【００２８】
次いで、側板部４の上端８に突設されて該側板部４で形成された箱本体３の上端開口部に沿って一定の間隔で並んだ状態となっている内折りフラップ１６、１６…を内側に折り倒すと共に、天板部２１の蓋板２２の縁に沿って突設された差し込みタブ２３、２３…を折り倒して、各タブ２３、２３…を各内折りフラップ１６、１６…間の間隙に差し込むことにより、天板部２１を箱本体３の上端開口部に冠着させて、該開口部を閉塞する。
【００２９】
これにより、包装箱１は、最下部が三角形で、中間部付近から上部側が円筒形となる電波塔・東京スカイツリーの特徴的なタワー形状をモチーフとした箱形状に組み立てられると同時に、その箱本体３の外周面に電波塔の東京スカイツリーを表す画像Ｓが３つ並んで表示されることとなるから、東京スカイツリーに因んだ土産品としての商品価値を著しく高めることができる。
【００３０】
また、包装箱１は、これをランダムに立てた状態で陳列しても、図４（ａ）及び（ｂ）に示す如く、その箱本体３の外周面にプリントされた東京スカイツリーの画像Ｓ、Ｓ…の何れかが顧客の視界に捉えられるから、東京スカイツリーに因んだ土産品を探し求める顧客の注意や関心を確実に引くことができる。
【００３１】
なお、図示は省略するが、箱本体３を形成する側板部４の一方の側端と他方の側端との接合強度や、箱本体３の上端とその上端開口部に冠着させる天板部２１との接合強度や、箱本体３の底部とその底部を閉塞する底板部５との接合強度を高めるために、それらの接合部にシールや接着テープを貼付してもよい。
【産業上の利用可能性】
【００３２】
本考案は、電波塔の東京スカイツリーに因んだ商品の商品価値の向上に資するものである。
【符号の説明】
【００３３】
１    包装箱
２    展開シート
３    箱本体
４    側板部
５    底板部
１０  接合代
１１  差し込みタブ
１２  スリット
１３  差し込みタブ
１４  内折りフラップ
１５  スリット
Ｓ    電波塔の東京スカイツリーを表す画像
Ｌ１〜Ｌ３  第１群の折り筋
Ｍ１〜Ｍ９   第２群の折り筋
【図２】
0003178343.tif 000003
【図３】
0003178343.tif 000004
【図１】
0003178343.tif 000005
【図４】
0003178343.tif 000006